(57)【特許請求の範囲】
【請求項１】
一対の正面部と、前記正面部の内側に折り込み可能な一対の側面部と、底面部とを備え、前記正面部と前記側面部をそれぞれ帯状に開封して用いられるサイドガセット袋であって、
少なくともその内面がイージーピール性を有するヒートシール層である一の原料フィルムが折り曲げられて折り目が形成されるとともに、隣接する前記正面部と前記側面部のそれぞれの内面端縁どうしがヒートシールにより接着された４つの柱シール部が形成されており、
前記柱シール部のうちの少なくとも３つは、前記折り目において前記原料フィルムが切り離されておらず、
前記柱シール部の幅が５〜１５ｍｍであるとともに、ＪＩＳ−Ｚ−０２３８に準拠して測定される前記柱シール部のヒートシール強度が２〜８Ｎ／１５ｍｍであり、
前記柱シール部の上端角部が切り落とされているか、又は前記柱シール部の中間にノッチが形成されているサイドガセット袋。
【請求項２】
前記正面部と前記側面部の少なくともいずれかの上部に配置された粘着部をさらに備える請求項１に記載のサイドガセット袋。
【請求項３】
請求項１又は２に記載のサイドガセット袋の４つの前記柱シール部を、それぞれの前記上端角部から前記底面部の方向に途中まで切り開いて前記正面部と前記側面部をそれぞれ帯状に開封するか、又は
前記ノッチより上部を切り離した後、前記ノッチから前記底面部の方向に途中まで切り開いて前記正面部と前記側面部をそれぞれ帯状に開封し、
帯状に開封された前記正面部と前記側面部を底面外側に折り返して形成される簡易食品容器。
【請求項４】
請求項１又は２に記載のサイドガセット袋の４つの前記柱シール部を、それぞれの前記上端角部から前記底面部の方向に下端まで切り開いて前記正面部と前記側面部をそれぞれ帯状に開封するか、又は
前記ノッチより上部を切り離した後、前記ノッチから前記底面部の方向に下端まで切り開いて前記正面部と前記側面部をそれぞれ帯状に開封して形成される食品用簡易敷物。
【発明の詳細な説明】
【技術分野】
【０００１】
本発明は、食品等の包装に適したサイドガセット袋、並びにそれを用いて形成される簡易食品容器及び食品用簡易敷物に関する。
【背景技術】
【０００２】
従来、お惣菜やおにぎり等の食品を収納する包装手段として比較的硬質な樹脂製のトレイが使用されている。このような樹脂製のトレイは、食品をのせた簡易的な皿や器としてそのまま食卓で使用されるか、或いはその内部の食品が通常の食器に移された後、廃棄される。ただし、このような樹脂製のトレイは形状や寸法が様々であるとともに嵩高いものであることから、一般家庭等においては廃棄するまでの保管が困難であるとともに、廃棄物の容量も多くなるといった問題がある。
【０００３】
一方、食品を収納する包装手段としては、比較的薄手の樹脂製フィルムからなるサイドガセット袋等の包装袋もある。このような樹脂製フィルムからなる包装袋は、使用後には折り畳む等して容易にその嵩を減らすことができるので、上記樹脂製のトレイに比して廃棄するまでの保管が容易であるとともに、廃棄物の容量を減ずることが可能である。
【０００４】
上記のような包装袋としては、例えば、直線カット性フィルムと熱融着性フィルムとからなる積層フィルムを熱融着して製袋した易開封性の包装袋が提案されている（例えば、特許文献１参照）。この包装袋は、その熱融着部が易剥離性であるとともにフィルム端辺との間に非接着部を有している。そして、非接着部の両隅がカットされており、カットされた箇所を開封開始点として、非接着部から折り曲げ線に沿って帯状に開封することが可能であるとしている。
【０００５】
また、基材層とイージーピール性のシーラント層を積層した４枚の積層フィルムからなり、４枚の積層フィルムのシーラント層どうしを合わせて熱融着して形成されたガセット袋が提案されている（例えば、特許文献２参照）。このガセット袋は、容易に開封可能であるとともに、開封後も台の上等に安定しておくことができるとされている。
【先行技術文献】
【特許文献】
【０００６】
【特許文献１】特開２００４−２６１６９号公報
【特許文献２】特開２００６−１９９３３７号公報
【発明の概要】
【発明が解決しようとする課題】
【０００７】
しかしながら、特許文献１において提案された包装袋を、折り曲げ線に沿ってまっすぐに切り開くことは現実的には困難である。特に、切り開く長さが長い場合には次第にずれて切り裂かれてしまうので、開封後の見栄えが良好であるとは言えない。このため、開封後にそのまま容器として使用するのは困難であった。
【０００８】
また、特許文献２において提案されたガセット袋は、４枚のフィルムを熱融着して作製するものであるために製造工程が極めて複雑となる。このため、製造コストが割高であり、大量に製造されるとともに、使用後は廃棄される簡易的な包装手段や食品容器としては実用的であるとは言えない。
【０００９】
本発明は、このような従来技術の有する問題点に鑑みてなされたものであり、その課題とするところは、正面部と側面部をそれぞれ帯状にきれいに四つ開きすることで簡易的に用いられる見栄えの良い食品容器を簡単に形成することが可能であるとともに、使用後も嵩張ることなく容易に廃棄することができ、かつ、低コストで容易に作製可能なサイドガセット袋、それを用いて形成される簡易食品容器及び食品用簡易敷物を提供することにある。
【課題を解決するための手段】
【００１０】
すなわち、本発明によれば、以下に示すサイドガセット袋が提供される。
［１］一対の正面部と、前記正面部の内側に折り込み可能な一対の側面部と、底面部とを備え、前記正面部と前記側面部をそれぞれ帯状に開封して用いられるサイドガセット袋であって、少なくともその内面がイージーピール性を有するヒートシール層である一の原料フィルムが折り曲げられて折り目が形成されるとともに、隣接する前記正面部と前記側面部のそれぞれの内面端縁どうしがヒートシールにより接着された４つの柱シール部が形成されており、前記柱シール部のうちの少なくとも３つは、前記折り目において前記原料フィルムが切り離されておらず、前記柱シール部の幅が５〜１５ｍｍであるとともに、ＪＩＳ−Ｚ−０２３８に準拠して測定される前記柱シール部のヒートシール強度が２〜８Ｎ／１５ｍｍであり、前記柱シール部の上端角部が切り落とされているか、又は前記柱シール部の中間にノッチが形成されているサイドガセット袋。
［２］前記正面部と前記側面部の少なくともいずれかの上部に配置された粘着部をさらに備える前記［１］に記載のサイドガセット袋。
【００１１】
また、本発明によれば、以下に示す簡易食品容器が提供される。
［３］前記［１］又は［２］に記載のサイドガセット袋の４つの前記柱シール部を、それぞれの前記上端角部から前記底面部の方向に途中まで切り開いて前記正面部と前記側面部をそれぞれ帯状に開封するか、又は前記ノッチより上部を切り離した後、前記ノッチから前記底面部の方向に途中まで切り開いて前記正面部と前記側面部をそれぞれ帯状に開封し、帯状に開封された前記正面部と前記側面部を底面外側に折り返して形成される簡易食品容器。
【００１２】
さらに、本発明によれば、以下に示す食品用簡易敷物が提供される。
［４］前記［１］又は［２］に記載のサイドガセット袋の４つの前記柱シール部を、それぞれの前記上端角部から前記底面部の方向に下端まで切り開いて前記正面部と前記側面部をそれぞれ帯状に開封するか、又は前記ノッチより上部を切り離した後、前記ノッチから前記底面部の方向に下端まで切り開いて前記正面部と前記側面部をそれぞれ帯状に開封して形成される食品用簡易敷物。
【発明の効果】
【００１３】
本発明のサイドガセット袋は、正面部と側面部をそれぞれ帯状にきれいに四つ開きすることができる。このため、簡易的に用いられる見栄えの良い食品容器を簡単に形成することができる。また、使用後も嵩張ることがないので容易に廃棄することができ、さらには、低コストで容易に作製可能なものである。そして、本発明の簡易食品容器及び食品用簡易敷物は、簡単に形成することができるとともに見栄えも良好である。また、使用後も嵩張ることがないので容易に廃棄することができる。さらに、本発明の簡易食品容器及び食品用簡易敷物は、汎用されている比較的硬質な樹脂製のトレイに比べて軽量であるので、廃棄が容易であるだけでなく、原料の節約（省資源化）にも寄与しうる。
【図面の簡単な説明】
【００１４】
【図１】本発明のサイドガセット袋の一実施形態を模式的に示す斜視図である。
【図２】図１のＡ部拡大図である。
【図３】本発明のサイドガセット袋の他の実施形態を模式的に示す斜視図である。
【図４】図３のＢ部拡大図である。
【図５】図１に示すサイドガセット袋を四つ開きする方法を説明する模式図である。
【図６】本発明の簡易食品容器の一実施形態を模式的に示す斜視図である。
【図７】本発明の食品用簡易敷物の一実施形態を模式的に示す斜視図である。
【発明を実施するための形態】
【００１５】
以下、本発明の実施の形態について説明するが、本発明は以下の実施の形態に限定されるものではない。
【００１６】
（サイドガセット袋）
本発明のサイドガセット袋の詳細について説明する。図１は、本発明のサイドガセット袋の一実施形態を模式的に示す斜視図である。また、図２は、図１のＡ部拡大図である。図１及び２に示すように、本実施形態のサイドガセット袋１０は、一対の正面部２，４と、これらの正面部２，４の内側に折り込み可能な一対の側面部６，８とを備えたものであり、一枚の原料フィルム５が折り曲げられて構成されている。隣接する正面部２，４と側面部６，８のそれぞれの内面端縁どうしはヒートシールにより接着されており、これにより４つの柱シール部１２，１４，１６，１８が形成されている。また、正面部２の上部には、例えば離型紙などでその表面が保護された粘着部７ａ，７ｂが配置されている。なお、粘着部は一箇所だけに配置されていてもよく、図１に示すように複数箇所に配置されていてもよい。さらに、粘着部は正面部の表面上に配置されていてもよく、裏面上に配置されていてもよい。
【００１７】
サイドガセット袋１０を構成する一枚の原料フィルム５は、少なくともその内面がイージーピール性を有するヒートシール層である。また、柱シール部１２，１４，１６，１８の上端角部１５は、いずれも直線状に切り落とされている。このように、柱シール部１２，１４，１６，１８の上端角部１５が切り落とされていることで、柱シール部１２，１４，１６，１８を、それぞれの上端角部１５から底面部の方向に直線的にきれいに切り開いて、正面部２，４と側面部６，８をそれぞれ帯状に開封することができる（図７参照）。なお、図１及び２においては、上端角部１５が直線状に切り落とされた状態が示されているが、柱シール部の上端角部はＲ状に切り落とされていてもよい。
【００１８】
図３は、本発明のサイドガセット袋の他の実施形態を模式的に示す斜視図である。また、図４は、図３のＢ部拡大図である。図３及び４に示すように、本実施形態のサイドガセット袋２０は、図１に示すサイドガセット袋１０と同様に、一対の正面部２，４と、これらの正面部２，４の内側に折り込み可能な一対の側面部６，８とを備えたものである。また、このサイドガセット袋２０は、少なくともその内面がイージーピール性を有するヒートシール層である一枚の原料フィルム５が折り曲げられて構成されている。そして、隣接する正面部２，４と側面部６，８のそれぞれの内面端縁どうしがヒートシールにより接着されており、これにより４つの柱シール部２２，２４，２６，２８が形成されている。なお、正面部２の上部には粘着部７が配置されている。
【００１９】
柱シール部２２，２４，２６，２８の中間には、いずれも三角形（Ｖ字状）の切欠きであるノッチ２５が形成されている。このように、柱シール部２２，２４，２６，２８の中間にノッチ２５が形成されていると、サイドガセット袋２０のノッチ２５より上部を切り離した後、柱シール部２２，２４，２６，２８を、それぞれのノッチ２５から底面部の方向に直線的にきれいに切り開いて、正面部２，４と側面部６，８をそれぞれ帯状に開封することができる。
【００２０】
本発明のサイドガセット袋は、柱シール部の幅が１５ｍｍ以下であることが好ましく、１２ｍｍ以下であることがさらに好ましく、１０ｍｍ以下であることが特に好ましく、５〜７ｍｍであることが最も好ましい。そして、柱シール部のヒートシール強度は、２〜８Ｎ／１５ｍｍであることが好ましく、２．５〜７Ｎ／１５ｍｍであることがさらに好ましく、３〜６Ｎ／１５ｍｍであることが特に好ましく、３〜５Ｎ／１５ｍｍであることが最も好ましい。柱シール部の幅とヒートシール強度をそれぞれ上記の範囲とすることで、柱シール部を、切り落とされた上端角部やノッチを起点として底面部の方向に直線的に切り開くことがさらに容易になる。なお、本明細書における柱シール部のヒートシール強度は、ＪＩＳ−Ｚ−０２３８に準拠して測定される値である。
【００２１】
（原料フィルム）
サイドガセット袋を構成する原料フィルムは、少なくともその内面がイージーピール性を有するヒートシール層であるものであればよい。原料フィルムとしては、例えば、基材と、この基材の一方の面上に配設されたヒートシール層とを備えたフィルム（すなわち積層フィルム）や、ヒートシール層のみからなるフィルム（すなわち単層フィルム）などを用いることができる。なお、積層フィルムを構成する基材とヒートシール層との貼り合わせは、ドライラミネートであっても、押出ラミネートであっても、その他の手法による貼り合わせであってもよい。
【００２２】
本発明のサイドガセット袋は、汎用されている比較的硬質な樹脂製のトレイと異なり、使用後に嵩張ることがない。また、樹脂製のトレイに比して軽量であるため、廃棄が容易であるとともに、原料の節約（省資源化）にも寄与しうるものである。さらに、本発明のサイドガセット袋は、一枚の原料フィルムにより構成されるものであるため、特許文献２等に記載されたガセット袋などと比べて容易に製造することができる。このため、製袋加工に要するコストを概ね１／３〜１／５程度にまで低減することが期待される。また、本発明のサイドガセット袋は、ロール状に巻かれた長尺の原料フィルムを引き出しながら製袋する従来公知の一般的なサイドガセット袋の製造方法に準じて製造することができる。なお、製造容易性の観点からは、いわゆる縦取り用の製袋機の方が、いわゆる横取り用の製袋機よりもより一般に普及しているために好ましい。
【００２３】
本発明のサイドガセット袋は、４つの柱シール部のうち、３つの柱シール部は原料フィルムが折り曲がっている状態であり、原料フィルムは切り離されていない。このため、例えば特許文献２に記載されているような、４枚のフィルムを組み合わせて熱融着して得たガセット袋と異なり、内容物を収容した状態で軽度の衝撃が負荷された場合であっても柱シール部が破断しにくく、内容物が外部へと漏出しにくい。なお、柱シールの柱軸方向に沿った外側部分を切り落とした場合には、上端角部やノッチから底面部の方向に切り開くことがさらに容易になる。ただし、耐衝撃性（内容物の漏出防止）を考慮した場合には、柱シールの柱軸方向に沿った外側部分を切り落とさないことが好ましい。なお、図１、３、及び５に示すように一般的な舟底となるように底部をシールしてもよく、角底となるように底部をシールしてもよい。
【００２４】
基材の具体例としては、以下商品名で、トレファンＢＯ  ＹＴ４２（東レ社製）、カラリヤンＹＡ２（電気化学工業社製）などの横方向直線カット性を有する縦取り用のフィルム；エンブレムＮＣ（ユニチカ社製）、エンブレットＰＣ（ユニチカ社製）、ユニアスロンＴＢ（出光ユニテック社製）、ノーブレンＡＳＣＭ（三井化学社製）などの縦方向直線カット性を有する横取り用のフィルム；ＯＰ  Ｕ−１（三井化学東セロ社製）、ＦＯＲ（フタムラ化学社製）、セロハンＰＬ（フタムラ化学社製）、セロハンＧ（フタムラ化学社製）、Ｅ５１００（東洋紡績社製）、Ｎ１１００（東洋紡績社製）などを挙げることができる。
【００２５】
イージーピール性を有するヒートシール層（積層フィルム用）の具体例としては、以下商品名で、Ｔ．Ａ．Ｆ  ６５０Ｃ（三井化学東セロ社製）、ＣＦフィルム（東レフィルム加工社製）、ＩＭＸフィルム（ジェイフィルム社製）、ディファレン  Ｅ７３００Ｔ（ＤＩＣ社製）などを挙げることができる。イージーピール性を有するヒートシール層（単層フィルム用）の具体例としては、以下商品名で、ＦＯＬＤ−Ｈ（フタムラ化学社製）、ＥＳ１（グンゼ社製）などを挙げることができる。
【００２６】
（サイドガセット袋の使用方法）
次に、本発明のサイドガセット袋の使用方法について、図１及び５に示すサイドガセット袋１０を例に挙げて具体的に説明する。サイドガセット袋１０を使用するには、先ず、肉じゃが、サバの味噌煮、ポテトサラダ、一口カツ及び千切りキャベツ、刺身盛り合わせ、サラダ盛り合わせ等のお惣菜；カット野菜；カットフルーツ；おにぎり；サンドイッチなどの食品を開口部から内部に入れる。次いで、シール部３をヒートシールすること等によって開口部を封ずるか、或いは上部を単に折り曲げること等により食品を内部に収容する。このような作業は、例えば食品工場や小売店のお惣菜売り場などで容易に実施される。
【００２７】
サイドガセット袋１０の内部に収容された食品を取り出す際には、開口部がヒートシールされている場合には、開口部を手でつまみ、力を加えて開封すればよい。また、上部が折り曲げられている場合には、折り曲げを単に解除するだけでよい。なお、図３に示すような、柱シール部の中間にノッチが形成されているサイドガセット袋の場合には、ノッチより上部を切り離すことで容易に開封することができる。
【００２８】
次いで、図５に示すように、柱シール部１２，１４，１６，１８をそれぞれの上端角部１５から底面部の方向に直線的に切り開く。これにより、正面部２，４と側面部６，８をそれぞれ帯状に開封することができる。なお、図３に示すような、柱シール部の中間にノッチが形成されているサイドガセット袋の場合には、柱シール部をノッチから底面部の方向に直線的に切り開けばよい。
【００２９】
内部に収容した食品がおにぎりやサンドイッチなどの水気の少ない食品である場合には、柱シール部１２，１４，１６，１８を下端まで切り開いてもよい。柱シール部１２，１４，１６，１８を下端まで切り開くことで、図７に示すような食品用簡易敷物６０（笹折り）を形成することができる。なお、図７中の符号５５は、食品用簡易敷物６０の底面部を示す。一方、内部に収容した食品が水分を多く含むようなお惣菜などである場合には、柱シール部１２，１４，１６，１８を途中まで切り開くことが好ましい。途中まで切り開く（すなわち、下端まで切り開かない）ことで、水分が外に漏れ出すのを防ぐことができる。
【００３０】
柱シール部１２，１４，１６，１８を途中まで切り開いた後は、帯状に開封して四つ開きした正面部２，４と側面部６，８を底面外側４５に折り返すことによって、図６に示すような簡易食品容器５０を形成することができる。なお、図１に示すような粘着部７ａ，７ｂが正面部２の上部に配置されている場合には、この粘着部７ａ，７ｂによって、底面外側４５に折り返した帯状の正面部２，４と側面部６，８を固定することができる。粘着部７ａ，７ｂにより固定することで、内容物の食品が徐々に少なくなってもひっくり返りにくく、安定した容器とすることができる。また、複数の容器を並べて置きやすくすることもできる。
【実施例】
【００３１】
以下、本発明を実施例に基づいて具体的に説明するが、本発明はこれらの実施例に限定されるものではない。
【００３２】
（実施例１）
二軸延伸ポリプロピレン製フィルム（商品名「ＯＰ  Ｕ−１」、三井化学東セロ社製、厚さ：２５μｍ）を基材とし、ポリプロピレン系樹脂製フィルム（商品名「Ｔ．Ａ．Ｆ  ６５０Ｃ」、三井化学東セロ社製、厚さ：３０μｍ）をヒートシール層としたドライラミネートの積層フィルムを原料フィルムとし、縦取り用の製袋機を使用して舟底のサイドガセット袋を得た。得られた舟底のサイドガセット袋の４つの柱シール部の上端角部を斜めに切り落として、図１及び２に示すような構成のサイドガセット袋を作製した。なお、柱シール部のヒートシール強度は、約２．８〜３．５Ｎ／１５ｍｍであった。
【００３３】
作製したサイドガセット袋の４つの柱シール部を、それぞれの上端角部から底面部の方向に、底面部より１／４程度の位置まで切り開いた。その結果、いずれの柱シール部においても直線的にきれいに切り開くことができた。また、帯状に開封された正面部と側面部をそれぞれ底面外側に折り返すことで、図６に示すような構成の簡易食品容器とすることができた。一方、作製したサイドガセット袋の４つの柱シール部を、それぞれの上端角部から底面部の方向に、底面部（下端）まで切り開いた。その結果、いずれの柱シール部においても直線的にきれいに切り開くことができ、図７に示すような構成の食品用簡易敷物とすることができた。
【００３４】
（実施例２）
二軸延伸ポリプロピレン製フィルム（商品名「トレファンＢＯ  ＹＴ４２」、東レフィルム加工社製、厚さ：２５μｍ）を基材とし、ポリプロピレン系樹脂製フィルム（商品名「ＣＦフィルム  ９５０１Ａ」、東レフィルム加工社製、厚さ：３０μｍ）をヒートシール層としたドライラミネートの積層フィルムを原料フィルムとし、縦取り用の製袋機を使用して舟底のサイドガセット袋を得た。得られた舟底のサイドガセット袋の４つの柱シール部の中間に三角形（Ｖ字状）のノッチを形成して、図３及び４に示すような構成のサイドガセット袋を作製した。なお、柱シール部のヒートシール強度は、約２〜４Ｎ／１５ｍｍであった。作製したサイドガセット袋のノッチより上部を切り離した後、４つの柱シール部を、それぞれのノッチから底面部の方向に、底面部より１／４程度の位置まで切り開いた。その結果、いずれの柱シール部においても直線的にきれいに切り開くことができた。また、帯状に開封された正面部と側面部をそれぞれ底面外側に折り返すことで、図６に示すような構成の簡易食品容器とすることができた。一方、ノッチより上部を切り離した後、４つの柱シール部を、それぞれのノッチから底面部の方向に、底面部（下端）まで切り開いた。その結果、いずれの柱シール部においても直線的にきれいに切り開くことができ、図７に示すような構成の食品用簡易敷物とすることができた。
【産業上の利用可能性】
【００３５】
本発明のサイドガセット袋は、例えば、お惣菜、カット野菜、カットフルーツ、おにぎり、サンドイッチなどの食品を簡易的に包装可能であるとともに、開封してそのまま食品容器として用いることができる。
【符号の説明】
【００３６】
２，４：正面部
３：シール部
５：原料フィルム
６，８：側面部
７，７ａ，７ｂ：粘着部
１０，２０：サイドガセット袋
１１：折り目
１２，１４，１６，１８：柱シール部
１５：上端角部
２２，２４，２６，２８：柱シール部
２５：ノッチ
４５：底面外側
５０：簡易食品容器
５５：底面部
６０：食品用簡易敷物
【要約】
【課題】折り目に沿ってきれいに四つ開きすることで簡易的に用いられる見栄えの良い食品容器を簡単に形成することが可能であるとともに、使用後も嵩張ることなく容易に廃棄することができ、かつ、低コストで容易に作製可能なサイドガセット袋を提供する。
【解決手段】一対の正面部２，４と、正面部２，４の内側に折り込み可能な一対の側面部６，８とを備えたサイドガセット袋１０である。その内面がイージーピール性を有するヒートシール層である一の原料フィルム５が折り曲げられるとともに、隣接する正面部２，４と側面部６，８のそれぞれの内面端縁どうしがヒートシールにより接着された４つの柱シール部１２，１４，１６，１８が形成されており、柱シール部１２，１４，１６，１８の上端角部１５が切り落とされている。
【選択図】図１【図１】
0005200178.tif 000002
【図２】
0005200178.tif 000003
【図３】
0005200178.tif 000004
【図４】
0005200178.tif 000005
【図５】
0005200178.tif 000006
【図６】
0005200178.tif 000007
【図７】
0005200178.tif 000008